(57)【要約】【課題】運動量の少ないオフィスワーカーになるべく遠くにある画像形成装置を利用させて運動を促して健康の増進を図る。【解決手段】サーバー装置３は、複数の画像形成装置１の位置を管理する画像形成装置位置管理部３１１と、ユーザーの位置の履歴を管理するユーザー位置履歴管理部３１２と、ユーザーの活動度合いを算出するユーザー活動算出部３１３とを備え、ユーザー端末２は、表示部２６と、印刷ジョブ生成部２１１と、サーバー装置３から複数の画像形成装置１の位置情報及びユーザーの活動度合いを取得し、ユーザーの活動度合いが予め定められた値よりも小さければ複数の画像形成装置１のうちユーザー端末２の位置から最も離れたところに配置された画像形成装置１を選択する画像形成装置選択部２１２と、選択された画像形成装置１を使用するように表示部２６にメッセージを表示する制御部２１０とを備える。【選択図】図１
2019082914.tif 000002
【特許請求の範囲】
【請求項１】
オフィスに配置された複数の画像形成装置と、ユーザー端末と、サーバー装置とがネットワークに接続されてなる健康増進支援システムであって、
前記サーバー装置は、
前記複数の画像形成装置の位置を管理する画像形成装置位置管理部と、
前記オフィスにおけるユーザーの位置の履歴を管理するユーザー位置履歴管理部と、
前記オフィス内での前記ユーザーの位置の履歴に基づいて前記ユーザーの活動度合いを算出するユーザー活動算出部とを備え、
前記ユーザー端末は、
表示部と、
前記ユーザーから文書の印刷要求を受けて印刷ジョブを生成する印刷ジョブ生成部と、
前記サーバー装置から前記複数の画像形成装置の位置情報及び前記ユーザーの活動度合いを取得し、前記ユーザーの活動度合いと予め定められた値とを比較して前記ユーザーの活動度合いが前記予め定められた値よりも小さければ、前記複数の画像形成装置のうち前記ユーザー端末の位置から離れた場所に配置された予め定められた画像形成装置を選択する画像形成装置選択部と、
前記印刷ジョブを実行する画像形成装置として前記選択された画像形成装置を使用する旨のメッセージを前記表示部に表示させる制御部と、を備えた健康増進支援システム。
【請求項２】
前記ユーザー端末は、前記複数の画像形成装置のそれぞれについて前記ユーザー端末の位置からその画像形成装置の設置位置までユーザーが到達するために要する運度量を算出するユーザー運動量算出部を有するものであり、
前記制御部は、前記ユーザー運動量算出部により算出された前記運動量を前記表示部に表示する請求項１に記載の健康増進支援システム。
【請求項３】
前記画像形成装置選択部は、前記ユーザーから複数部数の印刷が要求された場合、前記ユーザー端末の位置から離れた位置に配置された予め定められた画像形成装置を複数選択し、
前記制御部は、前記選択された複数の画像形成装置に前記複数部数を分割したそれぞれの部数の前記印刷ジョブを送信する請求項１又は請求項２に記載の健康増進支援システム。
【請求項４】
前記ユーザー端末の前記制御部は、予め定められた時間以上操作されなければ前記ユーザー端末をスリープ状態に遷移させる省電力機能を実行し、
前記ユーザー活動算出部は、前記ユーザー端末がスリープ状態にならなければ、前記ユーザーが前記ユーザー端末の前から移動していないと判断する請求項１乃至請求項３のいずれかに記載の健康増進支援システム。
【請求項５】
前記サーバー装置は、ユーザーごとにそのユーザーが健康増進支援対象のユーザーであるか否かを表すユーザー情報を管理するユーザー情報管理部を有し、
前記制御部は、前記ユーザー情報管理部から、前記ユーザー端末を使用しているユーザーの前記ユーザー情報を取得し、当該ユーザーが健康増進支援対象ユーザーである場合には、前記表示部に前記メッセージを表示させ、当該ユーザーが健康増進支援対象ユーザーでない場合には前記表示部に前記メッセージを表示させない請求項２乃至請求項４のいずれかに記載の健康増進支援システム。
【発明の詳細な説明】
【技術分野】
【０００１】
本発明は、健康増進支援システムに関し、特に、運動量の少ないユーザーに、遠くにある画像形成装置を利用させることで運動を促す技術に関する。
【背景技術】
【０００２】
これまで健康増進を目的として数々の発明がなされてきた。例えば、下記特許文献１には、歩行目標を達成することができ、自己の健康管理を行うことが容易となる歩行スケジュール管理システムが記載されている。具体的には、当該歩行スケジュール管理システムでは、端末装置に備わった歩数計によって利用者の歩数を計測し、歩数情報をナビゲーション装置に送信し、ナビゲーション装置は、この歩数情報を取得して不足歩行距離を算出し、この不足歩行距離に基づいて推奨歩行ルートを含む歩行スケジュールを提案する。
【０００３】
また、下記特許文献２には、設定された目的地に対し、仮目的地を経由した経路を提供し、ユーザーの健康向上を喚起し、促進させる経路案内装置が記載されている。具体的には、指定された目的地までの経路を案内する経路案内装置に、目的地に基づいて、該目的地から所定距離以内に存在する仮目的地を設定する手段と、自経路案内装置の位置から仮目的地までの経路及び仮目的地から目的地までの経路を検索する手段と、仮目的地から目的地までの経路に基づいて、健康増進に関する健康増進指標を算出する手段と、自経路案内装置の位置から仮目的地を経由して目的地に向かう経路を、対応する健康増進指標とともに提示する手段と、選択された経路と該経路に対応して提示された健康増進指標とを記憶する手段とを備える。記憶された健康増進指標に基づいて、提示する健康増進指標が選択され、選択された健康増進指標が算出される。
【先行技術文献】
【特許文献】
【０００４】
【特許文献１】特開２００５−１４７９１６号公報
【特許文献２】特開２００９−３６６１８号公報
【発明の概要】
【発明が解決しようとする課題】
【０００５】
オフィスに複数の画像形成装置を配置する場合、１箇所に集中させずに分散配置して各ユーザーが最寄りの画像形成装置を使用できるようにすることがある。このような画像形成装置の最適配置を行うとオフィスワーカーの近くに画像形成装置があることで印刷物をすぐに取りに行けるというメリットがある反面、オフィスワーカーがオフィス内であまり体を動かさなくなり健康維持・増進の観点からは好ましくない。
【０００６】
本発明は、上記の事情に鑑みなされたものであり、運動量の少ないオフィスワーカーになるべく遠くにある画像形成装置を利用させるようにすることで運動を促して健康の増進を図ることを目的とする。
【課題を解決するための手段】
【０００７】
本発明の一局面に係る健康増進支援システムは、オフィスに配置された複数の画像形成装置と、ユーザー端末と、サーバー装置とがネットワークに接続されてなる健康増進支援システムであって、前記サーバー装置は、前記複数の画像形成装置の位置を管理する画像形成装置位置管理部と、前記オフィスにおけるユーザーの位置の履歴を管理するユーザー位置履歴管理部と、前記オフィス内での前記ユーザーの位置の履歴に基づいて前記ユーザーの活動度合いを算出するユーザー活動算出部とを備え、前記ユーザー端末は、表示部と、前記ユーザーから文書の印刷要求を受けて印刷ジョブを生成する印刷ジョブ生成部と、前記サーバー装置から前記複数の画像形成装置の位置情報及び前記ユーザーの活動度合いを取得し、前記ユーザーの活動度合いと予め定められた値とを比較して前記ユーザーの活動度合いが前記予め定められた値よりも小さければ、前記複数の画像形成装置のうち前記ユーザー端末の位置から離れた場所に配置された予め定められた画像形成装置を選択する画像形成装置選択部と、前記印刷ジョブを実行する画像形成装置として前記選択された画像形成装置を使用する旨のメッセージを前記表示部に表示させる制御部と、を備えたものである。
【発明の効果】
【０００８】
本発明によれば、運動量の少ないユーザーに、遠くにある画像形成装置を利用させることで運動を促して健康の増進を図ることができる。
【図面の簡単な説明】
【０００９】
【図１】本発明の一実施形態に係る健康増進支援システムの概略構成図である。
【図２】画像形成装置の主要部のブロック図である。
【図３】サーバー装置の主要部のブロック図である。
【図４】ユーザー端末の主要部のブロック図である。
【図５Ａ】健康増進支援システムにおけるユーザー端末とサーバー装置の各動作を示すフローチャートである。
【図５Ｂ】図５Ａに続くフローチャートである。
【発明を実施するための形態】
【００１０】
以下、本発明の一実施形態に係る健康増進支援システムについて図面を参照して説明する。図１は、本発明の一実施形態に係る健康増進支援システムの概略構成図である。
【００１１】
本発明の一実施形態に係る健康増進支援システム１００は、複数の画像形成装置１と、ユーザー端末２と、サーバー装置３とを備える。複数の画像形成装置１、ユーザー端末２及びサーバー装置３は、ＬＡＮ（Local Area Network）等のネットワーク４に有線又は無線で接続されており、相互に通信可能になっている。複数の画像形成装置１は、オフィス内の同一フロアー及び異なるフロアーに分散配置されている。なお、便宜上、一人のユーザーを想定してユーザー端末２を１台だけ図示しているが、実際にはユーザーは複数存在し、それに応じてユーザー端末２も複数台接続され得る。
【００１２】
図２は、画像形成装置１の主要部のブロック図である。画像形成装置１は、例えば、プリンター、ファクシミリ装置、スキャナーの各機能を統合した複合機（ＭＦＰ）である。
【００１３】
画像形成装置１は、制御ユニット１０を備える。制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、又はＭＰＵ（Micro Processing Unit）等である。制御ユニット１０は、制御部１０１を備えている。
【００１４】
制御ユニット１０は、ＨＤＤ１５に記憶されている制御プログラムに従った動作により、制御部１０１として機能する。但し、制御部１０１は、制御ユニット１０による制御プログラムに従った動作によらず、ハードウェア回路により構成することも可能である。
【００１５】
画像読取部１１は、制御部１０１による制御の下、光照射部及びＣＣＤセンサー等を有する読取機構を備える。画像読取部１１は、光照射部により原稿を照射し、その反射光をＣＣＤセンサーで受光することにより、原稿から画像を読み取る。
【００１６】
画像形成部１２は、画像読取部１１で読み取られた原稿画像、ネットワーク接続されたユーザー端末２から受信した印刷データ等の画像形成を行う。
【００１７】
定着部１３は、画像形成部１２の画像形成処理により表面に画像（トナー像）が形成された記録紙を加熱し、熱圧着により当該画像を用紙に定着させる定着処理を行う。
【００１８】
画像メモリー１４は、画像読取部１１による読取で得られた原稿画像を一時的に記憶したり、画像形成部１２による画像形成の対象となる画像を一時的に保存する領域である。
【００１９】
ＨＤＤ１５は、画像読取部１１によって読み取られた原稿画像等や、上記制御プログラムを記憶する大容量の記憶装置である。
【００２０】
操作部１６は、画像形成装置１が実行可能な各種動作及び処理についてユーザーからの指示を受け付ける。操作部１６は、ユーザーへの操作案内等を表示するタッチパネル式の表示部１６１と、複数のハードキー１６２とを備えている。
【００２１】
ファクシミリ通信部１７は、図略の符号化／復号化部、変復調部及びＮＣＵ（Network Control Unit）を備え、公衆電話回線網を用いてのファクシミリの送受信を行うものである。
【００２２】
ネットワークインターフェース部１９は、ＬＡＮボード等の通信モジュールから構成され、当該ネットワークインターフェース部１９に接続されたＬＡＮ等を介してネットワーク４に接続されたユーザー端末２と種々のデータの送受信を行う。
【００２３】
図３は、サーバー装置３の主要部のブロック図である。サーバー装置３は、オフィス内に配置されている複数の画像形成装置１の位置及びオフィスにおけるユーザーの位置を管理する。サーバー装置３は、複数の画像形成装置１及びユーザー端末２と同じＬＡＮ環境に配置されていてもよいし、複数の画像形成装置１及びユーザー端末２とは全く別のいわゆるクラウド環境に配置されていてもよい。
【００２４】
サーバー装置３は、ＣＰＵ３１、ストレージ３２、ＲＯＭ３３、ＲＡＭ３４、ネットワークインターフェース３５等を備える。これら各要素は、内部バス３６によって相互に接続されている。
【００２５】
ＣＰＵ３１は、例えばストレージ３２に格納された管理プログラムを適宜読み出して実行し、制御部３１０、画像形成装置位置管理部３１１、ユーザー位置履歴管理部３１２、ユーザー活動算出部３１３、及びユーザー情報管理部３１４として機能する。但し、制御部３１０、画像形成装置位置管理部３１１、ユーザー位置履歴管理部３１２、ユーザー活動算出部３１３、及びユーザー情報管理部３１４は、制御ユニット１０による制御プログラムに従った動作によらず、ハードウェア回路により構成することも可能である。
【００２６】
ストレージ３２は、ハードディスク装置（ＨＤＤ）やシリコンドライブ（ＳＳＤ）等で構成され、ＣＰＵ３１で実行される基本ソフトや各種アプリケーションソフト、上記管理プログラム、システムファイル、データファイル等を保存する。ストレージ３２には、例えば、複数の画像形成装置１の配置位置が記録されたファイル、ユーザーの位置の履歴が記録されたファイル、ユーザー情報が記録されたファイル等が保存されている。
【００２７】
ＲＯＭ３３は、サーバー装置３の起動時に実行されるＢＩＯＳ等のプログラムを保存する。
【００２８】
ＲＡＭ３４は、ＣＰＵ３１が基本ソフト（上記制御プログラム等）や各種アプリケーションソフトを実行する際のワークメモリーとして機能し、また、各種プログラムで使用されるデータを一時的に保存する。
【００２９】
ネットワークインターフェース３５は、ネットワーク４（図１を参照）に接続され、複数の画像形成装置１及びユーザー端末２との間で通信を行う。
【００３０】
制御部３１０は、サーバー装置３の全体的な動作制御を司る。
【００３１】
画像形成装置位置管理部３１１は、複数の画像形成装置１の位置を管理する。具体的には、画像形成装置位置管理部３１１は、ストレージ３２上のファイルに各画像形成装置１の位置情報を記録することで複数の画像形成装置１の位置を管理する。各画像形成装置１の位置情報はその画像形成装置１を新規設置又は移動したときに入力され、予め記憶されている。画像形成装置１がＧＰＳ（Global Positioning System）等の測位機能を有している場合には、ネットワークインターフェース３５が画像形成装置１から、画像形成装置１が自ら検出した自身の位置を受信して、画像形成装置位置管理部３１１に記憶される。
【００３２】
ユーザー位置履歴管理部３１２は、オフィスにおける各ユーザーの位置の履歴を管理する。ユーザーの位置を把握する方法として様々なものが挙げられる。例えば、ユーザーがＧＰＳ機能付きのウェアラブルデバイス又は携帯端末装置を身につけている場合には、ユーザー位置履歴管理部３１２は、ネットワークインターフェース３５を介して、当該ウェアラブルデバイス又は携帯端末装置からユーザーの位置情報を取得する。ユーザーがそのようなウェアラブルデバイスを身につけていない場合には、ユーザー位置履歴管理部３１２は、例えばＵＷＢ（Ultra-Wideband）技術を利用してオフィス内のユーザーの位置を測位可能である。あるいは、ユーザーがユーザー端末２にログインすることで、ユーザー位置履歴管理部３１２は、ネットワークインターフェース３５を介して、当該ユーザー端末２から、当該ユーザー端末２の設置位置情報を取得し、当該設置位置情報が示す位置をそのユーザーの位置として管理する。また、ユーザーがいずれかの画像形成装置１を使用しようとしてその画像形成装置１にログインすることで、ユーザー位置履歴管理部３１２は、ネットワークインターフェース３５を介して、当該画像形成装置１から、当該画像形成装置１の設置位置情報を取得し、当該設置位置情報が示す位置をそのユーザーの位置として管理する。ユーザー位置履歴管理部３１２は、ユーザーごとに位置情報を逐次収集してストレージ３２上のファイルに各ユーザーの現在位置を都度書き込むことで各ユーザーの位置の履歴を管理する。
【００３３】
ユーザー活動算出部３１３は、オフィス内でのユーザーの位置の履歴に基づいてユーザーごとにユーザーの活動度合いを算出する。ユーザーの活動度合いとは、そのユーザーがオフィス内でどれだけ動いたかを数値で表したものである。例えば、ユーザー活動算出部３１３は、ユーザーの移動距離をユーザーの活動度合いとする。ユーザー活動算出部３１３は、ユーザー位置履歴管理部３１２からユーザーの位置情報を取得してその位置の履歴からユーザーの活動度合いを算出する。例えば、ユーザー活動算出部３１３は、予め定められた期間（例えば過去24時間）におけるユーザーの移動距離を活動度合いとする。ユーザー活動算出部３１３は、ユーザーの最新時点における位置情報がユーザー端末２の配置位置であり、直前におけるユーザーの位置情報もユーザー端末２の配置位置を示す場合は、ユーザーの活動度合いを「０」と算出する。ユーザー活動算出部３１３は、ユーザーがある地点から別の地点に移動していれば、の当該地点から当該別の地点までの移動距離をユーザーの活動度合いとして算出する。ユーザー活動算出部３１３は、上記予め定められた期間内にユーザーがオフィス内のあちこちに移動していれば、これらの移動量の合計をユーザーの活動度合いとして算出する。
【００３４】
なお、ユーザー端末２が、その制御部２１（図４）が、予め定められた時間（例えば、５分）以上操作されなければユーザー端末２をスリープ状態に遷移させる省電力機能を実行する。ユーザー活動算出部３１３は、ユーザー端末２がスリープ状態にならなければ、ユーザーがユーザー端末２の前から移動していないと判断することができる。この場合も、ユーザー活動算出部３１３は、ネットワークインターフェース３５を介して、当該ユーザー端末２から、当該ユーザー端末２の設置位置情報を取得する。
【００３５】
ユーザー情報管理部３１４は、ユーザーごとに、そのユーザーが健康増進支援対象のユーザーであるか否かを表すユーザー情報を記憶している。
【００３６】
図４は、ユーザー端末２の主要部のブロック図である。ユーザー端末２は、デスクトップＰＣやノートＰＣなどのパソコン、あるいはタブレット端末、スマートフォン等である。ユーザー端末２には画像形成装置１のプリンタードライバーがインストールされている。ユーザーは、ユーザー端末２で任意の文書や画像を開いて任意の画像形成装置１を指定してその文書や画像の印刷を行うことができる。
【００３７】
ユーザー端末２は、ＣＰＵ２１、ストレージ２２、ＲＯＭ２３、ＲＡＭ２４、ネットワークインターフェース２５、表示部２６、入力部２８等を備える。これら各要素は、内部バス２７によって相互に接続されている。
【００３８】
ＣＰＵ２１は、例えばストレージ２２に格納されたアプリケーションプログラムを適宜読み出して実行し、後述する制御部２１０、印刷ジョブ生成部２１１、画像形成装置選択部２１２、ユーザー運動量算出部２１３として機能する。但し、制御部２１０、印刷ジョブ生成部２１１、画像形成装置選択部２１２、ユーザー運動量算出部２１３は、ＣＰＵ２１によるアプリケーションプログラムに従った動作によらず、ハードウェア回路により構成することも可能である。
【００３９】
ストレージ２２は、ハードディスク装置（ＨＤＤ）やシリコンドライブ（ＳＳＤ）等で構成され、ＣＰＵ２１で実行される基本ソフト（上記アプリケーションプログラム等）や各種アプリケーションソフト、システムファイル、データファイル等を保存する。
【００４０】
ＲＯＭ２３は、ユーザー端末２の起動時に実行されるＢＩＯＳ等のプログラムを保存する。
【００４１】
ＲＡＭ２４は、ＣＰＵ３２が基本ソフトや各種アプリケーションソフトを実行する際のワークメモリーとして機能し、また、各種プログラムで使用されるデータを一時的に保存する。
【００４２】
ネットワークインターフェース２５は、ネットワーク４（図１を参照）に接続され、複数の画像形成装置１及びサーバー装置３との間で通信を行う。
【００４３】
表示部２６は、液晶ディスプレイ等の表示デバイスである。表示部２６はユーザー端末２と一体化されていてもあるいは分離されていてもいずれでもよい。
【００４４】
入力部２８は、キーボード、マウスポインター、又は表示部２６の表示画面に備えられたタッチパネルにより構成され、ユーザーによる操作に応じて、ユーザーからの各種指示等の入力を受け付ける。
【００４５】
制御部２１０は、ユーザー端末２の全体的な動作制御を司る。後述するように、制御部２１０は、表示部２６に各種メッセージを表示させる。
【００４６】
印刷ジョブ生成部２１１は、ユーザー端末２にログインしているユーザーからの文書や画像の印刷要求に従って、画像形成装置１で処理される印刷用の画像データを含む印刷ジョブを生成する。
【００４７】
画像形成装置選択部２１２は、サーバー装置３から、複数の画像形成装置１の位置情報及びユーザー端末２にログインしているユーザーの上記活動度合いを、ネットワークインターフェース２５を介して取得し、当該取得したユーザーの活動度合いと予め定められた値（例えば、移動量１００ｍ）とを比較する。そして、ユーザーの活動度合いが当該予め定められた値よりも小さければ、画像形成装置選択部２１２は、複数の画像形成装置１からそのユーザーの位置から離れた位置に配置された予め定められた画像形成装置１、例えば、ユーザー端末２の位置から最も離れた位置にある画像形成装置１、或いは、別のフロアーに配置された画像形成装置１や階段の先にある画像形成装置１など、選択候補として予め決定されている画像形成装置１を選択する。すなわち、画像形成装置選択部２１２は、オフィス内であまり動いていないと判断したユーザーを運動させるために、敢えて遠くに配置された画像形成装置１を選択する。
【００４８】
なお、ユーザー端末２の例えばＣＰＵ２１が内蔵する不揮発性のメモリーには、当該ユーザー端末２がオフィスにおけるどの位置に配置されているかという位置情報が予め記録されている。当該位置情報は、ユーザー端末２を新規設置又は移動したときに入力されて上記メモリーに予め記録されているか、又はユーザー端末２がＧＰＳ等の測位機能を有している場合には、ＣＰＵ２１が当該ユーザー端末２の位置を検出して上記メモリーに記録する。
【００４９】
ユーザー運動量算出部２１３は、ユーザー端末２は、複数の画像形成装置１のそれぞれについての当該ユーザー端末２の位置からその画像形成装置１の設置位置までユーザーが到達するために要する運動量を算出する。例えば、ユーザー運動量算出部２１３は、複数の画像形成装置１のそれぞれについてユーザー端末２にログインしているユーザーがユーザー端末２の位置からその画像形成装置１のところまで行くのに要する歩数及び消費カロリー数を上記運動量として算出する。例えば、ユーザー運動量算出部２１３は、歩数を、ユーザー端末２の位置から各画像形成装置１までのマンハッタン距離を算出してそれを予め定められた値の歩幅で割ることで算出する。なお、ユーザー運動量算出部２１３は、ユーザー情報として歩幅もサーバー装置３に予め記憶されている場合には、サーバー装置３からユーザー情報を取得して、そのユーザーの歩幅を元用いるようにしてもよい。
【００５０】
制御部２１０は、印刷ジョブを実行する画像形成装置として画像形成装置選択部２１２により選択された画像形成装置１を使用することを促すメッセージを表示部２６に表示する。つまり、オフィス内であまり動いていないと判断したユーザーに対して、できるだけ遠くの画像形成装置１を使用するように促す。
【００５１】
さらに、制御部２１０は、ユーザー運動量算出部２１３により算出された歩数及び消費カロリー数を表示部２６に表示してもよい。これにより、ユーザーは、どの画像形成装置１を使用すると消費カロリーがどれくらいになるのかを把握して画像形成装置１を自ら選択する際の参考になる。
【００５２】
なお、制御部２１０は、サーバー装置３のユーザー情報管理部３１４からユーザー端末２を使用しているユーザーのユーザー情報を取得し、当該ユーザーが健康増進支援対象ユーザーである場合には表示部２６に上記のメッセージを表示させるが、当該ユーザーが健康増進支援対象ユーザーでない場合には表示部２６に上記のメッセージを表示させなくてもよい。例えば、ユーザー情報管理部３１４は、ユーザー情報として身体障害者であることが記録されていれば、当該ユーザーは本システム１００による健康増進支援対象から除外する。これは、身体の不自由なユーザーは最寄りの画像形成装置１を優先的に使用すべきとの考えに基づく。
【００５３】
次に、本実施形態に係る健康増進支援システム１００によるユーザーの健康増進支援の具体例について説明する。図５Ａ及び図５Ｂは、健康増進支援システム１００におけるユーザー端末２とサーバー装置３の各動作を示すフローチャートである。
【００５４】
まず、サーバー装置３において、画像形成装置位置管理部３１１が、各画像形成装置１の位置を取得してそれをストレージ３２に記録して管理する（Ｓ３１）。上述したように、各画像形成装置１の位置は予め入力されているか、あるいは、画像形成装置１がＧＰＳ機能を有している場合には、ネットワークインターフェース３５が画像形成装置１から、画像形成装置１が自ら検出した自身の位置を受信して、画像形成装置位置管理部３１１に記憶される。
【００５５】
続いて、ユーザー位置履歴管理部３１２が、ユーザーの位置を取得してそれをストレージ３２に都度記録して管理する（Ｓ３２）。なお、ユーザー位置履歴管理部３１２は、当該ユーザーの位置取得及びストレージ３２への記録をユーザーの位置が変動する度に逐次行っている。上述したように、ユーザーの位置は、ユーザーが身につけているウェアラブルデバイスから取得する他、ユーザー端末２へのログイン状況及び各画像形成装置１へのログイン状況から取得する。
【００５６】
そして、ユーザー活動算出部３１３が、オフィス内でのユーザーの位置の履歴に基づいてユーザーごとにユーザーの活動度合いを算出する（Ｓ３３）。
【００５７】
ここで、ユーザー端末２から各画像形成装置１の位置情報等の要求があれば（Ｓ３４でＹＥＳ）、サーバー装置３は、各画像形成装置１の位置情報、ユーザー端末２にログインしているユーザーの上記活動度合い及びそのユーザーのユーザー情報をユーザー端末２へ送信する（Ｓ３５）。
【００５８】
この後、処理はＳ３２へ戻って、ユーザーの位置取得（Ｓ３２）から処理を繰り返す。一方、ユーザー端末２から情報要求がなければ（Ｓ３４でＮＯ）、Ｓ３２へ戻って、ユーザーの位置取得から処理を繰り返す。
【００５９】
一方、ユーザー端末２において、ユーザー端末２にログインしているユーザーから印刷要求があると（Ｓ２０１でＹＥＳ）、印刷ジョブ生成部２１１が、印刷ジョブを生成する（Ｓ２０２）。生成した印刷ジョブはストレージ２２に一時的に保存される。
【００６０】
印刷ジョブが生成されると、制御部２１０が、サーバー装置３に対して各画像形成装置１の位置情報等を要求する（Ｓ２０３）。当該要求に応じてサーバー装置３から各画像形成装置１の位置情報、ユーザー端末２にログインしているユーザーの活動度合い及びそのユーザーのユーザー情報が送信される。
【００６１】
更に、制御部２１０が、サーバー装置３から受信したユーザー情報に基づいて、ユーザー端末２にログインしているユーザーが健康増進支援対象ユーザーか否かを判定する（Ｓ２０４）。制御部２１０は、健康増進支援対象ユーザーでないと判断した場合（Ｓ２０５でＮＯ）、ユーザーによる、印刷を実行する画像形成装置１が選択される指示の入力を待機する。ユーザー自らプリンタードライバーの画面から印刷を実行する画像形成装置１を選択し、当該画像形成装置１が選択される指示の入力がユーザーによる入力部２８の操作に基づいて入力されると（Ｓ２０６）、制御部２１０は、当該選択された画像形成装置１に印刷ジョブを送信し（Ｓ２０７）、当該画像形成装置１から目的の印刷物が出力される。
【００６２】
一方、制御部２１０が、健康増進支援対象ユーザーであると判断した場合（Ｓ２０５でＹＥＳ）、ユーザー運動量算出部２１３が、複数の画像形成装置１のそれぞれについてユーザー端末２にログインしているユーザーがユーザー端末２の位置からその画像形成装置１のところまで行くのに要する歩数及び消費カロリー数を算出し、制御部２１０が、その算出結果を表示部２６に表示する（Ｓ２０８）。
【００６３】
続いて画像形成装置選択部２１２が、サーバー装置３から受信したユーザーの活動度合いと上記予め定められた値とを比較する（Ｓ２０９）。ユーザーの活動度合いが上記予め定められた値以上であれば（Ｓ２０９でＮＯ）、そのユーザーはオフィス内で比較的よく動いていると考えられるので、そのようなユーザーには自らプリンタードライバーの画面から印刷を実行する画像形成装置１を選択してもらうために、制御部２１０は、ユーザーによる、印刷を実行する画像形成装置１が選択される指示の入力を待機する。ユーザー自らプリンタードライバーの画面から印刷を実行する画像形成装置１を選択し、当該画像形成装置１が選択される指示が入力されると（Ｓ２０６）、制御部２１０は、当該選択された画像形成装置１に印刷ジョブを送信し（Ｓ２０７）、当該画像形成装置１から目的の印刷物が出力される。
【００６４】
一方、ユーザーの活動度合いが上記予め定められた値よりも小さければ（Ｓ２０９でＹＥＳ）、そのユーザーはオフィス内であまり動いていないと考えられるため、画像形成装置選択部２１２が、複数の画像形成装置１のうちユーザー端末２の位置から離れたところに配置された上記予め定められた画像形成装置１を選択する（Ｓ２１１）。そして、制御部２１０が、印刷ジョブを実行する画像形成装置として、画像形成装置選択部２１２により選択された当該画像形成装置１を使用することをユーザーに促す旨のメッセージを表示部２６に表示させる（Ｓ２１２）。
【００６５】
ユーザーが画像形成装置選択部２１２により選択された画像形成装置１の使用を受け入れる場合、ユーザーは、入力部２８を操作して、当該選択された画像形成装置１の使用を受け入れる旨の指示を入力する（Ｓ２１３）。この指示が入力されると（Ｓ２１３でＹＥＳ）、制御部２１０が、当該指示に従って、画像形成装置選択部２１２により選択された画像形成装置１に印刷ジョブを送信し（Ｓ２０７）、その画像形成装置１から目的の印刷物が出力される。この結果、ユーザーは遠くにある画像形成装置１まで印刷物を取りに行くこととなり、ユーザーに対して、印刷を通じて体を動かす機会を提供する。
【００６６】
このように、本実施形態によると、運動量の少ないオフィスワーカーになるべく遠くにある画像形成装置１を利用させるようにすることで運動を促して健康の増進を図ることができる。
【００６７】
一方、印刷を急いでいる等の理由で遠くにある画像形成装置１を選びたくないユーザーは、上記のように使用するように促された画像形成装置１を拒否することが可能とされている。当該メッセージの表示時、制御部２１０は、このようなユーザーによる、印刷を実行する画像形成装置１が選択される指示の入力を待機する。ここで、当該選択された画像形成装置１の使用を受け入れる旨の指示がユーザーから入力されず（Ｓ２１３でＮＯ）、当該ユーザーが、自らプリンタードライバーの画面から印刷を実行する画像形成装置１を選択する指示を入力部２８から入力した場合（Ｓ２０６）、制御部２１０は、当該画像形成装置１が選択される指示に従って、当該選択された画像形成装置１に印刷ジョブを送信する（Ｓ２０７）。当該画像形成装置１からは、当該印刷ジョブに基づいた印刷により、目的の印刷物が出力される。
【００６８】
なお、本発明は上記実施の形態の構成に限られず種々の変形が可能である。例えば、画像形成装置選択部２１２は、ユーザーから複数部数の印刷が要求された場合、当該ユーザーのユーザー端末２の位置から最も離れた位置に配置された位置にある複数の画像形成装置を選択し（最も遠い位置の画像形成装置から予め定められた複数台選択する。予め定められた台数は、例えば、印刷部数と同じ台数。また、予め定められた台数は、印刷部数よりも少ない台数であってもよい）、制御部２１０は、当該選択された複数の画像形成装置１に、上記複数部数を分割したそれぞれの部数の印刷ジョブを送信する。例えば、ユーザーから３部の印刷が要求され、画像形成装置選択部２１２により、上記画像形成装置が３台選択された場合、制御部２１０は、当該３部を台数分に分割して、各画像形成装置に１部ずつ印刷ジョブを送信する。これによれば、ユーザーは、当該選択された全ての画像形成装置の位置を訪れることにより所望部数の印刷物を得ることになるので、ユーザーをより多く運動させることができる。
【００６９】
また、図１乃至図５Ａ、図５Ｂを用いて上記実施形態により示した構成及び処理は、本発明の一実施形態に過ぎず、本発明を当該構成及び処理に限定する趣旨ではない。
【符号の説明】
【００７０】
１００    健康増進支援システム
１        画像形成装置
２        ユーザー端末
２６      表示部
２１０    制御部
２１１    印刷ジョブ生成部
２１２    画像形成装置選択部
２１３    ユーザー運動量算出部
３        サーバー装置
３１１    画像形成装置位置管理部
３１２    ユーザー位置履歴管理部
３１３    ユーザー活動算出部
３１４    ユーザー情報管理部
４        ネットワーク
【図１】
2019082914.tif 000003
【図２】
2019082914.tif 000004
【図３】
2019082914.tif 000005
【図４】
2019082914.tif 000006
【図５Ａ】
2019082914.tif 000007
【図５Ｂ】
2019082914.tif 000008